(57)【特許請求の範囲】
【請求項１】
貯湯タンクと、
前記貯湯タンク内の水を加熱する熱源装置と、
前記貯湯タンク内の水を前記熱源装置に送る熱源往き配管と、
前記熱源装置によって加熱後、加熱した湯水の温度が所定温度以上の場合には、三方弁を切り換え、加熱した湯水を前記貯湯タンクの上部に戻す熱源戻り上配管と、
所定温度未満の場合には、前記三方弁を切り換え、加熱された湯水を前記貯湯タンクの下部に戻す熱源戻り下配管と、
前記貯湯タンク内の水を排水し、排水栓が設けられている排水配管と、
を備え、
前記熱源往き配管と、前記熱源戻り下配管と、前記排水配管とは、集約部材を介して、前記貯湯タンクの下部に接続されており、
前記集約部材の内部には、前記熱源往き配管側への流路と、前記熱源戻り下配管からの流路とを区画する区画部が設けられているとともに、
前記区画部には、前記熱源往き配管側への流路と、前記熱源戻り下配管からの流路とを連通させる連通部が設けられていることを特徴とする貯湯式給湯機。
【発明の詳細な説明】
【技術分野】
【０００１】
本発明は、貯湯式給湯機に関するものである。
【背景技術】
【０００２】
従来、この種の貯湯式給湯機では、貯湯タンクへ水を供給する給水配管と、貯湯タンク内の水を外部へ排出する排水配管と、貯湯タンク内の水を加熱する為に熱源装置に送る熱源配管とが、各々単独の接続口を介して貯湯タンクと集約されている（例えば、特許文献１参照）。
【０００３】
図３は、特許文献１に記載された従来の貯湯式給湯機を示すものである。図３に示すように、給水回路２２の給水回路用接続口と、排水回路２４の排水回路用接続口と、熱源回路１８の熱源用接続口とが、各々単独にて貯湯タンク１６に接続されている。
【先行技術文献】
【特許文献】
【０００４】
【特許文献１】特開２００５−１３３９７３号公報
【発明の概要】
【発明が解決しようとする課題】
【０００５】
しかしながら、前記従来の構成では、給水配管及び排水配管及び熱源配管各々に対する貯湯タンクの開口部が必要なので、貯湯タンクの加工工数及び加工コストの増大という課題を有していた。
【０００６】
また、各々の回路と貯湯タンクとの集約にはＯリング、ファスナ、ソケット等が必要なので、部品点数の増大による材料コスト及び組立コストの増大、回路システム構成の複雑化という課題も有していた。
【０００７】
本発明は、前記従来の課題を解決するもので、低コストで使用性の向上を実現した貯湯式給湯機を提供することを目的とする。
【課題を解決するための手段】
【０００８】
前記従来の課題を解決するために、本発明の貯湯式給湯機は、貯湯タンクと、前記貯湯タンク内の水を加熱する熱源装置と、前記貯湯タンク内の水を前記熱源装置に送る熱源往き配管と、前記熱源装置によって加熱後、加熱した湯水の温度が所定温度以上の場合には、三方弁を切り換え、加熱した湯水を前記貯湯タンクの上部に戻す熱源戻り上配管と、所定温度未満の場合には、前記三方弁を切り換え、加熱された湯水を前記貯湯タンクの下部に戻す熱源戻り下配管と、前記貯湯タンク内の水を排水し、排水栓が設けられている排水配管と、を備え、前記熱源往き配管と、前記熱源戻り下配管と、前記排水配管とは、集約部材を介して、前記貯湯タンクの下部に接続されており、前記集約部材の内部には、前記熱源往き配管側への流路と、前記熱源戻り下配管からの流路とを区画する区画部が設けられているとともに、前記区画部には、前記熱源往き配管側への流路と、前記熱源戻り下配管からの流路とを連通させる連通部が設けられていることを特徴とするものである。
【０００９】
これにより、低コストで使用性の向上を実現した貯湯式給湯機を提供できる。
【発明の効果】
【００１０】
本発明によれば、低コストで使用性の向上を実現した貯湯式給湯機を提供できる。
【図面の簡単な説明】
【００１１】
【図１】本発明の実施の形態１における貯湯式給湯機の概略図
【図２】（ａ）本発明の実施の形態１における集約部材の外観図（ｂ）図２（ａ）の断面図（ｃ）図２（ｂ）のＡ部拡大図
【図３】従来の貯湯式給湯機の回路図
【発明を実施するための形態】
【００１２】
第１の発明は、貯湯タンクと、前記貯湯タンク内の水を加熱する熱源装置と、前記貯湯タンク内の水を前記熱源装置に送る熱源往き配管と、前記熱源装置によって加熱後、加熱した湯水の温度が所定温度以上の場合には、三方弁を切り換え、加熱した湯水を前記貯湯タンクの上部に戻す熱源戻り上配管と、所定温度未満の場合には、前記三方弁を切り換え、加熱された湯水を前記貯湯タンクの下部に戻す熱源戻り下配管と、前記貯湯タンク内の水を排水し、排水栓が設けられている排水配管と、を備え、前記熱源往き配管と、前記熱源戻り下配管と、前記排水配管とは、集約部材を介して、前記貯湯タンクの下部に接続されており、前記集約部材の内部には、前記熱源往き配管側への流路と、前記熱源戻り下配管からの流路とを区画する区画部が設けられているとともに、前記区画部には、前記熱源往き配管側への流路と、前記熱源戻り下配管からの流路とを連通させる隙間が設けられている貯湯式給湯機で、貯湯タンクの加工工数及び加工コストの低減と、部品点数の削減による材料コスト及び組立コストの低減、回路システム構成の簡素化を実現する貯湯式給湯機を提供できる。
【００１３】
また、貯湯タンク下部の開口部の数が削減となり、貯湯タンクの加工工数及び加工コストの低減と、部品点数の削減による材料コスト及び組立コストの低減、回路システム構成の簡素化を実現する貯湯式給湯機を提供できる。
【００１４】
また、前記熱源往き配管へ流れる水と、前記熱源戻り下配管から流れてくる湯水とが、集約部材で混ざることなく、前記貯湯タンク内の湯水を循環することを実現する貯湯式給湯機を提供できる。
【００１５】
また、前記区画部に連通部を設ければ、前記貯湯タンク内の水を排水する際に、前記熱源戻り下配管内の水が前記連通部を通過し、排水配管に流れることで、前記熱源戻り下配管内に残水が残こらないことを実現する貯湯式給湯機を提供できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における貯湯式給湯機の回路図を示すものであり、以下、その動作、作用を説明する。
【００１８】
図１において、本発明の第１の実施の形態における貯湯式給湯機は、貯湯タンク１３と、前記貯湯タンク１３へ水を供給する給水配管１より分岐した給水タンク下配管２と、前記貯湯タンク１３内の水を外部へ排出する排水配管５と、前記貯湯タンク１３の水を循環ポンプ７により、前記貯湯タンク１３の下部から熱源装置９であるヒートポンプサイクルに送る熱源往き配管８と、前記熱源装置９によって加熱後、加熱した湯水の温度が所定温度以上の場合には、三方弁１０を切り換え、加熱した湯水を前記貯湯タンク１３の上部に戻す熱源戻り上配管１２と、所定温度未満の場合には、三方弁１０を切り換え、湯水を前記貯湯タンク１３の下部に戻す熱源戻り下配管１１とから構成されている。
【００１９】
また、本発明の１の実施の形態における貯湯式給湯機においては、前記排水配管５と前記熱源往き配管８と前記熱源戻り下配管１１とを集約部材６を介して集約し、前記貯湯タンク１３の下部に接続することにより、配管を接続するための前記貯湯タンク１３の下部の開口部の数が、給水管接続口３と集約部材６のみですみ、従来の技術に対して削減となり、前記貯湯タンク１３の加工工数及び加工コストの低減と、部品点数の削減による材料コスト及び組立コストの低減、回路システム構成の簡素化を実現している。
【００２０】
図２（ａ）〜図２（ｃ）は、貯湯タンク１３の下部に接続されている集約部材６の詳細形状を示した図である。
【００２１】
集約部材６の、熱源往き流路２２は、熱源往き配管８側への流路であり、熱源戻り流路２３は、熱源戻り下配管１１からの流路であり、仕切り板２４は熱源往き流路２２と熱源戻り流路２３とを区画する区画部である。
【００２２】
また、排水配管接続口１８には排水配管５が接続され、熱源往き配管接続口１９には熱源往き配管８が接続され、熱源戻り下配管接続口２０には熱源戻り下配管１１が接続され、貯湯タンク下部接続口２１は貯湯タンク１３の下部に接続されている。
【００２３】
排水配管５と、熱源往き配管８と、熱源戻り下配管１１とを集約した集約部材６の内部に、前記熱源往き配管８側への流路である熱源往き流路２２と、前記熱源戻り下配管１１からの流路である熱源戻り流路２３とを区画する区画部である仕切り板２４を設けることで、前記熱源往き流路２２を流れる水と、前記熱源戻り流路２３を流れる湯水とが集約部材６の内部でほぼ混ざることはなく、前記貯湯タンク１３内の湯水の循環を行うことができる。
【００２４】
また、前記熱源往き流路２２と、前記熱源戻り流路２３とを区画する区画部である前記仕切り板２４に、前記熱源往き流路２２と、前記熱源戻り流路２３とを連通させる連通部である一定の面積の隙間を設けることで、排水配管５に設けられている排水栓４を開き、前記貯湯タンク１３内の水を排水する際に、前記熱源戻り下配管１１内の水が、前記集約部材６の熱源戻り下配管接続口２０を通り、前記熱源戻り流路２３を流れ、前記仕切り板２４に設けた一定の面積の隙間を通り、前記熱源往き流路２２に流れ、最終的に排水配管接続口１８に流れ、排水配管５から排水されることで、前記熱源戻り下配管１１内と、前記集約部材６の内部とに残水が残こらないようにすることができる。
【産業上の利用可能性】
【００２５】
以上のように、本発明にかかる貯湯式給湯機は、低コストで使用性の向上を実現した貯湯式給湯機を提供できるので、ヒートポンプ給湯機、燃料電池等の用途に適用できる。
【符号の説明】
【００２６】
１  給水配管
２  給水タンク下配管
３  給水管接続口
４  排水栓
５  排水配管
６  集約部材
７  循環ポンプ
８  熱源往き配管
９  熱源装置（ヒートポンプサイクル）
１０  三方弁
１１  熱源戻り下配管
１２  熱源戻り上配管
１３  貯湯タンク
１８  排水配管接続口
１９  熱源往き配管接続口
２０  熱源戻り下配管接続口
２１  貯湯タンク下部接続口
２２  熱源往き流路
２３  熱源戻り流路
２４  仕切り板（区画部）
【図１】
0006630916.tif 000002
【図２】
0006630916.tif 000003
【図３】
0006630916.tif 000004